(57)【要約】【課題】クリーンルーム等において、耐荷重性の高い床を在来工法により構築する場合には、鉄骨根太構造の床とは別に建物本体の構造体（地中梁等）が必要となるため、鉄骨根太が重構造となり、また高価な耐重型フリーアクセスフロアーを使用するため、コストが高いという欠点と共に、大きな床下有効スペースを確保するのが困難であり、建物の階高が大幅に高くなるというような課題がある。【解決手段】そこで本発明では、建物の構造体である地中梁１（又は大梁）の複数を平行に突設し、これらの複数の地中梁又は大梁間にコンクリート成型板２を複数架設すると共に、その上にコンクリート３を打設して床４を構成し、床の一部に、その上方空間６と下方空間５とのアクセス部７を構成するハイブリッド構造床システムを提案する。【選択図】　　　図１
2004068261.tif 000002
【特許請求の範囲】
【請求項１】
建物の構造体である地中梁の複数を平行に突設し、これらの複数の地中梁間にコンクリート成型板を複数架設すると共に、その上にコンクリートを打設して床を構成し、床の一部に、その上方空間と下方空間とのアクセス部を構成することを特徴とする建物におけるハイブリッド構造床システム
【請求項２】
建物の構造体である大梁の複数を平行に突設し、これらの複数の大梁間にコンクリート成型板を複数架設すると共に、その上にコンクリートを打設して床を構成し、床の一部に、その上方空間と下方空間とのアクセス部を構成することを特徴とする建物におけるハイブリッド構造床システム
【請求項３】
アクセス部は、グレーチングである請求項１又は２に記載の建物におけるハイブリッド構造床システム
【請求項４】
アクセス部は、ユーティリティーボックスである請求項１又は２に記載の建物におけるハイブリッド構造床システム
【発明の詳細な説明】
【０００１】
【発明の属する技術分野】
本発明は、建物におけるハイブリッド構造床システムに関するものである。
【０００２】
【従来の技術】
例えば半導体製造装置の組立と調整を行うための最終組立調整室は、半導体製造装置の納入先の半導体工場のクリーンルームに準拠した環境が必要となり、例えば、所定の清浄度、気流制御、実負荷テスト運転用ユーティリティーが必要となる。ユーティリティーは水系のものが多く、床下からの供給が必要である。
【０００３】
また近来、半導体製造用のウェハーは直径が２００ｍｍから３００ｍｍへと拡大する傾向があり、その製造装置の寸法も重量も大きくなっている。
【０００４】
以上のことから上記最終組立調整室では、清浄度、ユーティリティーのフレキシブルな供給、従来よりも耐荷重性の高い床、装置組立、搬出入に必要な大スパンを持ったクリーンルームとして構成することが必要となる。
【０００５】
このような要件を満たすクリーンルームを在来工法にて構築しようとすると、その床は、例えば図７、図８に示すように、建物本体の構造体上に鉄骨根太構造にて床を組み、その上にフリーアクセスフロアーを敷く構造となる。
即ち、まず図７は平屋建ての場合を示すもので、図８において、符号ａは地中梁、ｂはスラブであり、このような建物本体の構造体上に束柱ｃにより鉄骨の大引きｄを支持すると共に、この大引きｄ上に根太ｅを架け渡して、その上に耐重型フリーアクセスフロアーｆを敷設している。尚、図において、符号ｇは床下空間、ｈは室内、ｉは天井、ｊは屋根スラブを示すものである。
【０００６】
次に図８は、複数階建ての場合を示すもので、床の構造は図７のものと同様であるので、対応する要素には図７と同一の符号を付して重複する説明は省略する。図８において、符号ｋは建物の構造体である２階の床の大梁であり、また符号ｍは小梁である。そして符号ｎは２階の床スラブであり、この床スラブｎ上に束柱ｃにより鉄骨の大引きｄを支持すると共に、この大引きｄ上に根太ｅを架け渡して、その上に耐重型フリーアクセスフロアーｆを敷設している。
【０００７】
【発明が解決しようとする課題】
以上の在来工法による床構造では、次のような課題がある。
ａ．鉄骨根太が重構造となり、コストの上昇と床下有効スペースの減少をもたらす。
ｂ．耐重型フリーアクセスフロアーは高価であり、この面からコストの上昇となる。
ｃ．鉄骨根太構造の床とは別に建物本体の構造体（地中梁等）が必要となり、地中梁を深く施工する必要があるので、建物の階高が大幅に高くなる。
ｄ．床下空間には束柱が、例えば１，２００ｍｍ間隔で設けられているため、ユーティリティーのための配管等の経路が制約される。
本発明はこのような課題を解決することを目的とするものである。
【０００８】
【課題を解決するための手段】
上述した課題を解決するために本発明では、建物の構造体である地中梁の複数を平行に突設し、これらの複数の地中梁間にコンクリート成型板を複数架設すると共に、その上にコンクリートを打設して床を構成し、床の一部に、その上方空間と下方空間とのアクセス部を構成するハイブリッド構造床システムを提案する。
【０００９】
また本発明では、建物の構造体である大梁の複数を平行に突設し、これらの複数の大梁間にコンクリート成型板を複数架設すると共に、その上にコンクリートを打設して床を構成し、床の一部に、その上方空間と下方空間とのアクセス部を構成するハイブリッド構造床システムを提案する。
【００１０】
また本発明では、以上の構成において、アクセス部は、グレーチングとして構成することを提案する。
【００１１】
また本発明では、以上の構成において、アクセス部は、ユーティリティーボックスとして構成することを提案する。
【００１２】
本発明によれば、建物本体の構造体である地中梁や大梁を、床を支持する構造体として利用するので、建物本体の構造体と床を支持する構造体を個別に構築せずに、床の下方に広い無柱空間を構成することができ、この無柱空間をユーティリティーの配管等の経路や空調空気のリターンピットとして利用することができる。
【００１３】
このような本発明によれば、階高が高くならず、そして地中梁は地上近くに、あたかも地上に置くような形態で施工することができるので、工期が短縮され、コストも低減される。
【００１４】
【発明の実施の形態】
次に本発明の実施の形態を図を参照して説明する。
まず図１〜図４は本発明のハイブリッド構造床システムを平屋建てのクリーンルームに適用した実施の形態を示すものであり、図１は全体の説明的断面図、図２は図１のＡ−Ａ線断面図、図３は要部の説明的斜視図、図４は便宜的に床部分のみを表した説明図である。
これらの図において、符号１は建物本体の構造体である地中梁であり、複数を平行に突設している。平行な複数の地中梁１（１ａ，１ｂ，１ｃ，…）は図１においては左右方向に延びている。
【００１５】
本発明では、これらの複数の地中梁１（１ａ，１ｂ，１ｃ，…）間に複数のコンクリート成型板２（２ａ，２ｂ，２ｃ，…）を架設すると共に、その上にコンクリート３を打設して床４を構成することにより、床４の下方に、広い無柱空間５を構成することができる。そして、この際、床４の一部に、その上方空間、即ち室内空間６と、下方空間、即ち無柱空間５とのアクセス部７を構成する。
【００１６】
以上の構成において、コンクリート成型板２は、所定の強度が得られるものであれば、ＡＬＣ板や孔明きＰＣ板（スパンクリート）、その他の一般的なＰＣ板等適宜である。尚、図示の実施の形態では、コンクリート成型板２は、中空部８を有する孔明きＰＣ板としている。
【００１７】
また、本発明において、アクセス部７とは、空調空気を流通させるためのグレーチング９や、ユーティリティーの接続部１０を構成したユーティリティーボックス１１等を指称するものである。
【００１８】
ユーティリティーボックス１１に至る配管１２の用途の例を示すと、配管１２ａはバキューム配管、１２ｂはシステムエア供給用配管、１２ｃはドライエア供給用配管、１２ｄは純水供給用配管、１２ｅ、１２ｆは夫々冷却水供給用の往き管、還り管である。
【００１９】
このように本発明では、建物本体の構造体である地中梁１を、床４を支持する構造体として利用するので、建物本体の構造体と床４を支持する構造体を個別に構築せずに、床４の下方に広い無柱空間５を構成することができ、この無柱空間５をユーティリティーの配管等の経路や空調空気のリターンピットとして利用することができる。
【００２０】
尚、図に示す他の構成要素を説明すると、符号１３は防湿コンクリート、１４は断熱材と防湿フィルムを示すものである。また符号１５は床４上に設置する半導体製造装置等の生産機器であり、そのユーティリティー接続部（図示省略）をユーティリティーボックス１１の各配管１２の接続部１０に接続し、生産排気の排出口を排気系統１６に接続する。符号１７は循環ファンであり、外部空調機から空調空気系統１８を経た空調空気は、循環ファン１７から吐出系統１９を通り、ＨＥＰＡフィルター２０を経て天井２１の吹出口２２から室内空間６に吹き出される。そして室内空間６の空気は、グレーチング９を経て床４の下方の無柱空間６内に流入し、この無柱空間６をリターンピットとして図１の左方向に流れ、ドライコイル２３を経て、床４を貫通したリターンシャフト２４内に至り、還り系統２５を経て循環ファン１７の吸込側に還流して、循環に供される。更に符号２６はケーブルラック、２７，２８は夫々窒素、バキューム配管である。
【００２１】
次に、図５は本発明のハイブリッド構造床システムを複数階建て、この場合は２階建てのクリーンルームに適用した実施の形態を示す全体の説明的断面図である。
図５において、符号１は建物本体の構造体である地中梁であり、複数を平行に突設している。平行な複数の地中梁１（１ａ，１ｂ，１ｃ，…）は図５においては左右方向に延びている。図１と比較した場合、図５の地中梁１は、その下端が、防湿コンクリート１３よりも下方に位置している。１階に関してのこの他の構成要素は、図１のものと同様であるので、対応する構成要素には同一の符号を付して重複する説明は省略する。
【００２２】
図５に示すように１階の天井側には、２階の床の大梁１０１が構築されており、図示されていないが、図５において紙面に平行な左右方向に延びる複数の大梁が、所定の間隔をおいて構築されている。
この実施の形態において、２階の床１０４は、上述した１階の地中梁１に代り、上記の複数の大梁１０１間に複数のコンクリート成型板１０２を架設すると共に、その上にコンクリート１０３を打設して床１０４を構成する。こうして、２階においても、床１０４の下方で、２階の床スラブ１１３との間に、広い無柱空間１０５を構成することができ、１階の構成と同様に、この際、床１０４の一部に、その上方空間、即ち室内空間１０６と、下方空間、即ち無柱空間５とのアクセス部１０７としてのグレーチング９とユーティリティーボックス１１１を設置する。これらの床１０４を構成する要素は、地中梁１を除いて、１階の床４を構成する要素と同様である。
【００２３】
この実施の形態では、２階の床１０４についても、建物本体の構造体である大梁１０１を、床１０４を支持する構造体として利用するので、建物本体の構造体と床１０４を支持する構造体を個別に構築せずに、床１０４の下方に広い無柱空間１０５を構成することができ、この無柱空間１０５をユーティリティーの配管等の経路や空調空気のリターンピットとして利用することができる。
【００２４】
２階に設置するその他の要素は、１階と同様であるので、対応する要素には同一の符号を付して重複する説明は省略する。
【００２５】
次に図６は本発明におけるハイブリッド構造床システムの図５に示す実施の形態と、在来工法にて構築した床システムの図８の例を、比較して示す説明図である。この図から分かるように、本発明のハイブリッド構造床システムでは、在来工法を用いた場合のように、階高が高くならず、そして地中梁１は地上近くに、あたかも地上に置くような形態で施工することができることが分かる。このことから本発明では、工期が短縮され、コストも低減される。
【００２６】
【発明の効果】
本発明は以上のとおりであるので、次のような効果がある。
ａ．建物本体の構造体である地中梁や大梁を、床を支持する構造体として利用するので、建物本体の構造体と床を支持する構造体を個別に構築せずに、床の下方に広い無柱空間を構成することができ、この無柱空間をユーティリティーの配管等の経路や空調空気のリターンピットとして利用することができ、ユーティリティーの経路も制約を受けない。
ｂ．建物の階高が高くならず、そして地中梁は地上近くに、あたかも地上に置くような形態で施工することができるので、工期が短縮され、コストも低減される。
ｃ．高価な耐重型フリーアクセスフロアーを使用しないので、この面からもコストの低減を図ることができる。
【図面の簡単な説明】
【図１】本発明のハイブリッド構造床システムを平屋建てのクリーンルームに適用した実施の形態を示す全体の説明的断面図である。
【図２】図１のＡ−Ａ線断面図である。
【図３】要部の説明的斜視図である。
【図４】便宜的に床部分のみを表した説明図である。
【図５】本発明のハイブリッド構造床システムを２階建てのクリーンルームに適用した実施の形態を示す全体の説明的断面図である。
【図６】本発明におけるハイブリッド構造床システムの実施の形態と、在来工法にて構築した床システムの例を、比較して示す説明図である。
【図７】在来工法にて構築した平屋建てのクリーンルームの一例を示す説明的断面図である。
【図８】在来工法にて構築した２階建てのクリーンルームの一例を示す説明的断面図である。
【符号の説明】
１（１ａ，１ｂ，１ｃ，…）　　地中梁
２（２ａ，２ｂ，２ｃ，…）　　コンクリート成型板
３　　　　　　　　　　　　　　コンクリート
４　　　　　　　　　　　　　　床
５　　　　　　　　　　　　　　無柱空間
６　　　　　　　　　　　　　　室内空間
７　　　　　　　　　　　　　　アクセス部
８　　　　　　　　　　　　　　中空部
９　　　　　　　　　　　　　　グレーチング
１０　　　　　　　　　　　　　接続部
１１　　　　　　　　　　　　　ユーティリティーボックス
１２（１２ａ，１２ｂ，１２ｃ，１２ｄ，１２ｅ，１２ｆ）　　配管
１３　　　　　　　　　　　　　防湿コンクリート
１４　　　　　　　　　　　　　断熱材、防湿フィルム
１５　　　　　　　　　　　　　生産機器
１６　　　　　　　　　　　　　排気系統
１７　　　　　　　　　　　　　循環ファン
１８　　　　　　　　　　　　　空調空気系統
１９　　　　　　　　　　　　　吐出系統
２０　　　　　　　　　　　　　ＨＥＰＡフィルター
２１　　　　　　　　　　　　　天井
２２　　　　　　　　　　　　　吹出口
２３　　　　　　　　　　　　　ドライコイル
２４　　　　　　　　　　　　　リターンシャフト
２５　　　　　　　　　　　　　還り系統
２６　　　　　　　　　　　　　ケーブルラック
２７　　　　　　　　　　　　　窒素配管
２８　　　　　　　　　　　　　バキューム配管
１０１　　　　　　　　　　　　大梁
１０２　　　　　　　　　　　　コンクリート成型板
１０３　　　　　　　　　　　　コンクリート
１０４　　　　　　　　　　　　床
１０５　　　　　　　　　　　　無柱空間
１０６　　　　　　　　　　　　室内空間
【図１】
2004068261.tif 000003
【図２】
2004068261.tif 000004
【図３】
2004068261.tif 000005
【図４】
2004068261.tif 000006
【図５】
2004068261.tif 000007
【図６】
2004068261.tif 000008
【図７】
2004068261.tif 000009
【図８】
2004068261.tif 000010